(57)【特許請求の範囲】
【請求項１】
複数の収音手段の各々で収音された収音信号により話者音声パワーと話者位置を推定する話者位置推定段階と、
前記収音信号より雑音パワーを推定する雑音パワー推定段階と、
前記音声パワーと前記話者位置と前記雑音パワーより話者位置推定精度を演算する精度推定段階と、
前記話者位置と前記話者位置推定精度により、話者が存在する範囲である話者範囲を設定する話者範囲推定段階と、
前記話者範囲より、話者が画面に入るようにテレビカメラの方向およびズーム量を決定するカメラ方向・ズーム計算段階と
を有するズーム推定方法。
【請求項２】
複数の収音手段の各々で収音された収音信号により話者音声パワーと話者位置を推定する話者位置推定段階と、
前記収音信号より雑音パワーを推定する雑音パワー推定段階と、
前記音声パワーと前記話者位置と前記雑音パワーより話者位置推定精度を演算する精度推定段階と、
前記話者位置と前記話者位置推定精度により、話者が存在する範囲である話者範囲を設定する話者範囲推定段階と、
前記話者範囲に対する感度が、それ以外の位置に対する感度よりも高くなるように、前記複数の収音手段を用いて指向性を形成するための遅延量とフィルタ係数を、前記話者範囲と前記収音手段の位置より算出する遅延量・フィルタ係数計算段階と、
前記各収音信号を前記遅延量と前記フィルタ係数を用いて処理し、音声出力を得る指向性形成段階と
を有するズーム推定方法。
【請求項３】
前記精度推定段階は、
前記雑音パワー推定段階により推定された雑音パワーよりパワー分布にどの程度の雑音が含まれているかを示す雑音パワー分布を計算する雑音パワー分布計算段階と、
前記話者位置推定段階で推定された話者音声パワーの分布が、該話者音声パワーの最大値から前記雑音パワー分布を減算した分布よりも大きい範囲を誤差の範囲として求め、前記話者位置から前記誤差の範囲内の最も離れた位置までの距離を話者位置推定精度として求める精度計算段階と
を有する、請求項１または２に記載の方法。
【請求項４】
前記話者位置推定段階は、
全ての収音手段で収音された収音信号が同位相となるような遅延と、信号対雑音比が最大となり、各走査位置に対する利得が一定となるようなゲインを各収音手段の出力に与え、加算する指向性走査段階と、
前記指向性走査段階の出力信号の短時間平均パワーを、走査位置毎に計算するパワー分布計算段階と、
最大パワーを持つ走査位置を検出することにより話者位置を推定する最大パワー位置検出段階と
を有する、請求項１から３のいずれか１項に記載の方法。
【請求項５】
前記雑音パワー推定段階は、
前記各収音手段で収音された信号の短時間平均パワーを監視し、パワー変動が大きい場合にパワー変動ありとして検出するパワー変動検出段階と、
前記パワー変動検出段階による検出結果がパワー変動なしである場合に、前記複数の収音手段で収音された信号の長時間平均パワーを計算する段階と
を有する、請求項１から４のいずれか１項に記載の方法。
【請求項６】
前記指向性形成段階は、各収音手段で収音された収音信号を、全ての収音信号が同位相となるようにそれぞれ遅延する遅延段階と、
話者範囲全体に対する感度が高くなるように各遅延段階の出力をフィルタリングするフィルタリング段階と、
複数のフィルタリング結果を加算する加算段階と
を有する、請求項２に記載の方法。
【請求項７】
複数の収音手段の各々で収音された収音信号により話者音声パワーと話者位置を推定する話者位置推定手段と、
前記収音信号より雑音パワーを推定する雑音パワー推定手段と、
前記音声パワーと前記話者位置と前記雑音パワーより話者位置推定精度を演算する精度推定手段と、
前記話者位置と前記話者位置推定精度により、話者が存在する範囲である話者範囲を設定する話者範囲推定手段と、
前記話者範囲より、話者が画面に入るようにテレビカメラの方向およびズーム量を決定するカメラ方向・ズーム計算手段と
を有するズーム推定装置。
【請求項８】
複数の収音手段の各々で収音された収音信号により話者音声パワーと話者位置を推定する話者位置推定手段と、
前記収音信号より雑音パワーを推定する雑音パワー推定手段と、
前記音声パワーと前記話者位置と前記雑音パワーより話者位置推定精度を演算する精度推定手段と、
前記話者位置と前記話者位置推定精度により、話者が存在する範囲である話者範囲を設定する話者範囲推定段手段と、
前記話者範囲に対する感度が、それ以外の位置に対する感度よりも高くなるように、前記複数の収音手段を用いて指向性を形成するための遅延量とフィルタ係数を、前記話者範囲と前記収音手段の位置より算出する遅延量・フィルタ係数計算手段と、
前記各収音信号を前記遅延量と前記フィルタ係数を用いて処理し、音声出力を得る指向性形成手段と
を有するズーム推定装置。
【請求項９】
前記精度推定手段は、
前記雑音パワー推定手段により推定された雑音パワーよりパワー分布にどの程度の雑音が含まれているかを示す雑音パワー分布を計算する雑音パワー分布計算手段と、
前記話者位置推定手段で推定された話者音声パワーの分布が、該話者音声パワーの最大値から前記雑音パワー分布を減算した分布よりも大きい範囲を誤差の範囲として求め、前記話者位置から前記誤差の範囲内の最も離れた位置までの距離を話者位置推定精度として求める精度計算手段と
を有する、請求項７または８に記載の装置。
【請求項１０】
前記話者位置推定手段は、
全ての収音手段で収音された収音信号が同位相となるような遅延と、信号対雑音比が最大となり、各走査位置に対する利得が一定となるようなゲインを各収音手段の出力に与え、加算する指向性走査手段と、
前記指向性走査手段の出力信号の短時間平均パワーを、走査位置毎に計算するパワー分布計算手段と、最大パワーを持つ走査位置を検出することにより話者位置を推定する最大パワー位置検出手段と
を有する、請求項７から９のいずれか１項に記載の装置。
【請求項１１】
前記雑音パワー推定手段は、
前記各収音手段で収音された信号の短時間平均パワーを監視し、パワー変動が大きい場合にパワー変動ありとして検出するパワー変動検出手段と、
前記パワー変動検出手段による検出結果がパワー変動なしである場合に、前記複数の収音手段で収音された信号の長時間平均パワーを計算する手段と
を有する、請求項７から１０のいずれか１項に記載の装置。
【請求項１２】
前記指向性形成手段は、
各収音手段で収音された収音信号を、全ての収音信号が同位相となるようにそれぞれ遅延する複数の遅延手段と、
話者範囲全体に対する感度が高くなるように各遅延手段の出力をフィルタリングする複数のフィルタ手段と、
複数のフィルタ手段の出力を加算する加算手段と
を有する、請求項８に記載の装置。
【請求項１３】
請求項１から６のいずれか１項に記載のズーム推定方法をコンピュータに実行させるズーム推定プログラム。
【請求項１４】
請求項１から６のいずれか１項に記載のズーム推定方法をコンピュータに実行させるズーム推定プログラムを記録した記録媒体。
【発明の詳細な説明】
【０００１】
【発明の属する技術分野】
本発明は、通信会議、遠隔講義、監視装置等において、複数のマイクロホン等の収音手段で収集された話者音声により話者位置を推定し、テレビカメラを話者位置に向け、話者のクローズアップ映像を取得する、または話者位置を推定し、指向性を自動的に話者位置に向け、話者の音声を取得するズーム推定方法および装置に関する。
【０００２】
【従来の技術】
図１０は従来の話者追従撮像・収音装置の構成を示している。
【０００３】
この話者追従撮像・収音装置はマイクロホン１１1〜１１Mと話者位置推定部１２と遅延量・ゲイン計算部５１と指向性形成部２３とカメラ方向・ズーム計算部１６とテレビカメラ１８とを有する。
【０００４】
話者位置推定部１２は複数のマイクロホン１１1〜１１Mで収音された信号を用いて、話者１９の位置を推定する。指向性形成部２３は推定された話者位置に対する感度が高くなるように指向性２１を形成する。指向性形成部２３は、各マイクロホン１１1〜１１Mでの収音信号を遅延させ、ゲインをかけてから加算する構成となっており、遅延量およびゲインは、遅延量・ゲイン計算部５１で計算される。遅延量は、各マイクロホン１１1〜１１Mで観測された話者音声が同位相となるように、推定話者位置とマイクロホン位置と音速より求められ、ゲインは、指向性形成部２３の出力の信号対雑音のパワー比が最大となるように求められる。このようにして、推定された話者位置にテレビカメラ１８が向くように、カメラ方向・ズーム計算部１６はカメラ方向とズーム量を計算し、テレビカメラ１８を制御する。これにより、話者位置にテレビカメラ１８を追従させることが可能となる。
【０００５】
また、推定された話者位置に鋭い指向性を向けることにより、低雑音で話者音声を収音することが可能となる（例えば、特開平９―２６１７９２公報「受音方法及びその装置」）。
【０００６】
この公報に記載された方法では、第i番目のマイクロホンの出力信号に対して、焦点からi番目のマイクロホンまでの距離に応じて時間遅延を与えるとともに、前記距離の累乗値の逆数を乗算し、それらの乗算した信号を加算し、加算した信号に含まれる焦点位置に置かれた音源の直接音成分のパワーと残響音成分のパワーの和に応じて加算結果を正規化した後出力する。
【０００７】
【発明が解決しようとする課題】
しかし、一般的な部屋で話者位置推定を行った場合、雑音や残響で推定誤差が生じるため、正確な話者位置にテレビカメラや指向性を向けることはできない。このため、従来技術では、図１１に示すように話者が画面からはみ出したり、図１２に示すように話者位置から指向性２１がずれ、収音した話者音声に劣化が生じたりするといった問題が生じる。
【０００８】
従来の話者追従撮像・収音方法では、雑音や残響のある環境において話者位置推定精度が低く、話者が画面からはみ出したり、話者位置から指向性がずれ、収音した話者音声に劣化が生じたりするという問題がある。
【０００９】
本発明の目的は、話者位置が正確に分からない場合でも、話者を画面内に収め、話者音声を劣化なしで収音するズーム推定方法および装置を提供することである。
【００１０】
本発明の他の目的は、音声劣化なしに話者音声を収音するズーム推定方法および装置を提供することにある。
【００１１】
【課題を解決するための手段】
本発明の第１の態様によれば、ズーム推定方法は、
複数の収音手段の各々で収音された収音信号により話者音声パワーと話者位置を推定する話者位置推定段階と、
前記収音信号より雑音パワーを推定する雑音パワー推定段階と、
前記話者音声パワーと話者位置と雑音パワーより話者位置推定精度を演算する精度推定段階と、
話者位置と話者位置推定精度により、話者が存在する範囲である話者範囲を設定する話者範囲推定段階と、
前記話者範囲より、話者が画面に入るようにテレビカメラの方向およびズーム量を決定するカメラ方向・ズーム計算段階とを有する。
【００１２】
本発明の第２の態様によれば、ズーム推定方法は、
複数の収音手段の各々で収音された収音信号により話者音声パワーと話者位置を推定する話者位置推定段階と、
前記収音信号より雑音パワーを推定する雑音パワー推定段階と、
話者音声パワーと話者位置と雑音パワーより、話者位置精度を演算する精度推定段階と、
話者位置と話者位置推定精度により、話者が存在する範囲である話者範囲を設定する話者範囲推定段階と、
話者範囲に対する感度が、それ以外の位置に対する感度よりも高くなるように、複数の収音手段を用いて指向性を形成するための遅延量とフィルタ係数を、前記話者範囲と各収音手段の位置より算出する遅延量・フィルタ係数計算段階と、各収音信号を遅延量とフィルタ係数を用いて処理し、音声出力を得る指向性形成段階とを有する。
【００１３】
本発明は、話者位置推定精度を推定し、話者位置推定精度にあわせて、テレビカメラのズーム量、もしくは指向性の鋭さを変化させることにより、話者を画面内に収めること、もしくは話者音声の劣化を防ぐことを実現するものである。
【００１４】
【発明の実施の形態】
図１を参照すると、本発明の第１の実施形態のズーム推定装置は、マイクロホン１１1〜１１Mと話者位置推定部１２と雑音パワー推定部１３と精度推定部１４と話者範囲設定部１５とカメラ方向・ズーム計算部１６とによって構成されている。
【００１５】
本実施形態のズーム推定装置は、話者位置を推定し、テレビカメラ１８を話者位置に向け、話者１９のクローズアップ映像を取得し、また、話者位置精度を推定し、話者位置推定精度にあわせてテレビカメラ１８のズーム量を変化させることで、話者位置推定精度が低い場合でも、話者を画面内に収めることを実現する装置である。
【００１６】
話者位置推定部１２は、マイクロホン１１1〜１１Mで収音された信号を用いて話者１９の位置と話者音声のパワーを推定する。話者位置推定部１２は、例えば図２に示すように指向性走査部１２１とパワー分布計算部１２２と最大パワー位置検出部１２３により構成される。指向性走査部１２１は、各マイクロホン出力に遅延di (x, y, z)とゲインgi (x, y, z)を与え加算することにより鋭い指向性を形成し、その指向性を話者が存在可能な範囲で走査する。ここで、「走査」とは後述するように各チャネルからの音声信号から距離減衰、遅延を施して計算されたパワーが最大になる位置(x, y, z)を、予め準備された候補となる位置(x, y, z)から選ぶことである。
【００１７】
走査位置(x, y, z)の場合に、i番目のマイクロホン１１iに与えられる遅延量di (x, y,z)は、走査位置(x,y,z)から発せられた音が同位相となるように、走査位置(x, y, z)とi番目のマイクロホン位置(xi, yi, zi)と音速cより、式（１）および式（２）を用いて求められる。
【００１８】
【数１】
0003739673.tif 000002
【００１９】
ただし、Dは固定遅延量であり、信号を進ませることができないという因果性を満足させるために、di(x, y, z)が必ず正となるように与えられる定数であり、ri (x, y, z)は、走査位置(x, y, z)とi番目のマイクロホン位置(xi, yi, zi)間の距離である。
【００２０】
また、走査位置 (x, y, z)の場合に、i番目のマイクロホン１１iに与えられるゲインgi (x, y, z)は、信号対雑音比が最大となり、各走査位置に対する利得が一定となるように、式（３）で与えられる。
【００２１】
【数２】
0003739673.tif 000003
【００２２】
ただし、Vは部屋の体積（m3）であり、TRは残響時間（s）である。
【００２３】
走査位置（x, y, z）に対し得られる指向性走査部１２１の出力y (t, x, y, z)は、各マイクロホン１１1〜１１Mで受音された信号xi (t)に、遅延di (x,y,z)とゲインgi (x, y, z)を与え加算した信号であり、式（４）で表される。
【００２４】
【数３】
0003739673.tif 000004
【００２５】
ただし、xi (t)はi番目のマイクロホンで収音された信号であり、tは時刻である。
【００２６】
次に、パワー分布計算部１２２は指向性走査部１２１の出力信号y (t, x, y, z)の短時間平均パワーを走査位置毎に計算する。走査位置毎に計算されたパワーP (x, y, z)（パワー分布）は、式（５）で表される。
【００２７】
【数４】
0003739673.tif 000005
【００２８】
ただし、Tは、短時間平均パワーを求めるための平均時間であり０.１〜１s程度の値である。
【００２９】
式（５）のパワー分布は、走査位置に鋭い指向性を向けた場合に収音された音のパワーであるので、その位置にある音源のパワーの推定値となっている。すなわち、パワー分布のうち、大きいパワーを有する位置には音源があり、大きいパワーの位置を検出することにより話者位置の推定が可能となる。最大パワー位置検出部１２３では、最大パワーを持つ走査位置を検出し、最も大きい音を発する音源位置を検出する。以上の方法により、話者位置の検出が可能となる。ただし、パワー分布には、雑音の影響によるパワーが加算されていることにより、位置の推定誤差が生じる。
【００３０】
雑音パワー推定部１３では、マイクロホン１１1〜１１Mで収音された信号より雑音パワーを推定する。雑音パワー推定部１３は、例えば図３に示すように、パワー変動検出部１３１と長時間平均パワー計算部１３２により構成される。パワー変動検出部１３１は、マイクロホン１１1〜１１Mで収音された信号の短時間平均パワー（０.１〜１s程度）を監視し、パワー変動が大きい場合にパワー変動ありとして検出する。パワー変動の検出は、例えば短時間平均パワーの標準偏差が、予め設定した閾値を超えた場合に、パワー変動ありと検出する。長時間平均パワー計算部１３２は、パワー変動検出部１３１による検出結果がパワー変動なしである場合に、マイクロホン１１1〜１１Mで収音した信号の長時間平均パワー（１s〜１０s程度）を計算する。このようにパワー変動のない期間の長時間平均パワーを計算することにより、雑音パワーを推定することが可能となる。
【００３１】
精度推定部１４では、推定された雑音パワーと推定された話者音声パワーと推定話者位置より話者位置推定精度を演算する。精度推定部１４は、例えば図２に示すように、雑音パワー分布計算部１４２とパワー分布記憶部１４１と精度計算部１４３とにより構成される。まず、雑音パワー分布計算部１４２では、雑音パワー推定部１３により推定された雑音パワーP'Nより、パワー分布にどの程度の雑音が含まれているか（雑音パワー分布）を計算する。各マイクロホン１１1〜１１Mに互いに無相関で平均パワーがP'Nである雑音N1 (t)〜NM (t)が到来していると仮定すれば、雑音パワー分布PN (x, y, z)は式（６）により求めることができる。
【００３２】
【数５】
0003739673.tif 000006
【００３３】
次に、指向性走査部１２１とパワー分布計算部１２２により計算されたパワー分布P (x, y, z)は、パワー分布記憶部１４１に記憶される。精度計算部１４３では、記憶されたパワー分布P (x, y, z)と雑音パワー分布PN (x, y, z)と推定話者位置(xt, yt, zt)より精度を求める。求め方の説明は、図４を用いて行う。図４において、縦軸は線形である。パワー分布P(x, y, z)は雑音の影響を含んでおり、雑音パワー分布はPN(x, y, z)であるので、雑音がなかった場合のパワー分布Ps (x, y, z)は、式（７）の値の範囲をとり得る。
【００３４】
【数６】
0003739673.tif 000007
【００３５】
このとき、Ps (x, y, z)で最大値となる可能性のある位置は、式（８）に示す条件を満たす位置のみである。
【００３６】
【数７】
0003739673.tif 000008
【００３７】
ただし、PMAXはP (x, y, z)の最大値である。
【００３８】
図４においては（最大パワー）―（雑音パワー分布）の曲線を超えるパワー分布を持つ範囲がPs (x, y, z)で最大値となる可能性のある位置であり、誤差の範囲となる。したがって、誤差の範囲のうち、推定話者位置より最も離れた位置までの距離が話者位置推定精度となる。
【００３９】
話者範囲設定部１５は、推定話者位置と話者位置推定精度から、話者が存在する範囲（話者範囲）を求める。具体的には、推定話者位置を中心とし、話者位置推定精度を半径rとした球内が話者範囲となる。
【００４０】
この話者範囲内に話者がいるわけであるから、話者範囲全体が画面内に入るようにテレビカメラ１８を制御すれば、図５に示すように画面内から話者がはみ出すことはない。
【００４１】
話者範囲全体が画面内に入るようにするには、テレビカメラ方向とズーム量を適切に決定する必要がある。図６は、テレビカメラ方向とズーム量を決定する方法を説明する図であり、x, y, zの直交座標系で位置を表すものとする。テレビカメラ位置は座標(xc, yc, zc)であり、推定話者位置(xt, yt, zt)であり、話者範囲は半径rの球形である。また、話者が最も中心座標よりずれた場合でも画面からはみ出さないように、５０cm〜１００cm程度のマージンδを設け、その球体を画面範囲とした。
【００４２】
まず、テレビカメラ方向は推定話者位置(xt, yt, zt) とカメラ位置(xc, yc, zc)より決定することが可能であり、テレビカメラ１８の水平回転角θHは式（９）により求めることができ、垂直回転角θVは式（１０）により求めることができる。
【００４３】
【数８】
0003739673.tif 000009
【００４４】
テレビカメラ１８の視野角φは、テレビカメラ１８から推定話者位置までの距離と話者範囲の半径rおよびマージンδより求められる。これは式（１１）で計算される。
【００４５】
【数９】
0003739673.tif 000010
【００４６】
また、ズームの倍率が１倍であるときの視野角をφ0とすれば、ズームの倍率Zは、式（１２）で表される。
【００４７】
【数１０】
0003739673.tif 000011
【００４８】
以上の計算式により、話者範囲全体が画面内に入るテレビカメラ方向とズーム量を計算することができ、話者位置推定精度が低くても画面内から話者がはみ出すことなく、適切なテレビカメラ制御が可能となる。
【００４９】
図７を参照すると、本発明の第２の実施形態のズーム推定装置は、マイクロホン１１1〜１１Mと話者位置推定部１２と雑音パワー推定部１３と精度推定部１４と話者範囲設定部１５と遅延量・フィルタ係数計算部２２と指向性形成部２３とによって構成されている。
【００５０】
本実施形態のズーム推定装置は、話者位置を推定し、指向性を自動的に話者位置に向け、話者の音声を取得する。また、話者位置推定精度を演算し、図８に示すように話者位置推定精度にあわせて指向性の鋭さを自動的に変化させることで、話者位置推定精度が低い場合でも、話者音声の劣化を防ぐことを実現する装置である。
【００５１】
話者位置推定部１２と雑音パワー推定部１３と精度推定部１４と話者範囲設定部１５とは第１の実施形態と同じであるので説明を省略する。
【００５２】
話者範囲全体に対して感度が高くなるように指向性を制御する方法について説明する。指向性形成部２３は、図９に示すように各マイクロホン１１1〜１１Mで収音された信号を、各遅延器２３１1〜２３１Mにより遅延し、フィルタ２３２1〜２３２Mによりフィルタリングしてから、加算器２３３により加算することで、話者範囲全体に対する感度が高くなるよう指向性２１を形成する。遅延量およびフィルタ係数は、遅延量・フィルタ係数計算部２２で計算される。
【００５３】
i番目のマイクロホン１１iに与えられる遅延量di (xt, yt, zt)は、各マイクロホン１１1〜１１Mで観測された話者音声が同位相となるように、話者範囲の中心位置(xt, yt, zt)とi番目のマイクロホン位置(xi, yi, zi)と音速cより、式（１３）を用いて求められる。
【００５４】
【数１１】
0003739673.tif 000012
【００５５】
ただし、Dは固定遅延量であり、信号を進ませることができないという因果性を満足させるために、di（xt, yt, zt）が必ず正となるように与えられる定数である。
【００５６】
フィルタ係数は、話者範囲設定部１５により求められた話者範囲全体の感度が高くなるように指向性の幅を調整するように求められ、例えば、特許願２０００―１１８０６９「収音方法および収音装置」の方法により求めることができる。すなわち、話者範囲に分布（一様分布、正規分布等）する音源を仮定し、音源から指向性形成部２３の出力までの直接波成分の応答を求め、音声信号の劣化量と信号対雑音のパワー比を求める。劣化量が話者範囲の感度の高さの評価基準となり、信号対雑音のパワー比が話者範囲外の感度の低さの評価基準となるので、この二つの評価基準のバランスのとれたフィルタを求めることにより、話者範囲全体の感度を高くし、雑音を抑圧するフィルタ係数を求めることができる。
【００５７】
以上の方法により、話者範囲全体に対する感度が高くなるような指向性が自動的に形成され、音質劣化のない音声の収音が可能となる。
【００５８】
なお、以上説明したズーム装置の処理は、該処理をフロッピィ・ディスク、CD―ROM、光磁気ディスク等の可搬の記録媒体あるいはハードディスクに記録して、パソコン等のコンピュータで実行することもできる。
【００５９】
【発明の効果】
以上説明したように、本発明によれば、話者位置推定精度が低くても、画面内から話者がはみ出すことなくクローズアップ映像を自動制御で得ること、もしくは、音質劣化が生じることなく話者音声を収音することができる。
【図面の簡単な説明】
【図１】本発明の第１の実施形態のズーム装置の構成を示すブロック図である。
【図２】話者位置推定部１２と精度推定部１４の構成を示すブロック図である。
【図３】雑音パワー推定部１３の構成を示すブロック図である。
【図４】本発明の第１の実施形態のズーム装置において話者位置推定精度を求める方法を説明する図である。
【図５】ズーム装置の指向性を示す図である。
【図６】テレビカメラ方向とズーム量を決定する方法を説明する図である。
【図７】本発明の第２の実施形態のズーム装置の構成を示すブロック図である。
【図８】ズーム装置の映像を示す図である。
【図９】指向性形成部２３の１つの具体例を示す図である。
【図１０】従来のズーム装置の構成を示す図である。
【図１１】図１０のズーム装置の映像を示す図である。
【図１２】図１０のズーム装置の指向性を示す図である。
【符号の説明】
１１1〜１１M    マイクロホン
１２    話者位置推定部
１３    雑音パワー推定部
１４    精度推定部
１５    話者範囲設定部
１６    カメラ方向・ズーム計算部
１８    テレビカメラ
１９    話者
２１    指向性
２２    遅延量・フィルタ係数計算部
２３    指向性形成部
１２１    指向性走査部
１２２    パワー分布計算部
１２３    最大パワー位置検出部
１３１    パワー変動検出部
１３２    長時間平均パワー計算部
１４１    パワー分布記憶部
１４２    雑音パワー分布計算部
１４３    精度計算部
５１    遅延量・ゲイン計算部
２３１1〜２３１M    遅延器
２３２1〜２３２M    フィルタ
２３３    加算器
【図１】
0003739673.tif 000013
【図２】
0003739673.tif 000014
【図３】
0003739673.tif 000015
【図４】
0003739673.tif 000016
【図５】
0003739673.tif 000017
【図６】
0003739673.tif 000018
【図７】
0003739673.tif 000019
【図８】
0003739673.tif 000020
【図９】
0003739673.tif 000021
【図１０】
0003739673.tif 000022
【図１１】
0003739673.tif 000023
【図１２】
0003739673.tif 000024